(57)【要約】【課題】筐体内に出し入れ自在に収納する電池ケースの左右の側壁に銘板を貼り付けることができる加熱調理器を提供する。【解決手段】筐体１０内に、上方に開口する略矩形箱状をして内部に電池が収納される電池ケース１３を出し入れ自在に収納してなる加熱調理器（ガスこんろ１）である。筐体１０の前面部１２の左右中央部よりも右側又は左側に偏った位置に電池ケース１３を収納するケース収納口１２ａを形成する。電池ケース１３の左右の側壁のうち、筐体１０の前面部１２においてケース収納口１２ａが偏っている側と反対側の側壁８０ｄの上下長さｈ１を内部に収納される電池の直径と略等しくすると共に該側壁８０ｄの外面に銘板貼付部９６を設け、筐体１０の前面部１２においてケース収納口１２ａが偏っている側の側壁８０ｅの上下長さｈ２を内部に収納される電池の直径よりも短くする。【選択図】        図１２
2011047594.tif 000002
【特許請求の範囲】
【請求項１】
筐体内に、上方に開口する略矩形箱状をして内部に電池が収納される電池ケースを出し入れ自在に収納してなる加熱調理器であって、筐体の前面部の左右中央部よりも右側又は左側に偏った位置に電池ケースを収納するケース収納口を形成し、電池ケースの左右の側壁のうち、筐体の前面部においてケース収納口が偏っている側と反対側の側壁の上下長さを内部に収納される電池の直径と略等しくすると共に該側壁の外面に銘板貼付部を設け、筐体の前面部においてケース収納口が偏っている側の側壁の上下長さを内部に収納される電池の直径よりも短くして成ることを特徴とする加熱調理器。
【請求項２】
筐体の前面部においてケース収納口が偏っている側の側壁の上下長さを内部に収納される電池の直径の略半分にして成ることを特徴とする請求項１記載の加熱調理器。
【請求項３】
電池ケースの左右の側壁の一方又は両方の前後方向の一部の上端縁に、指が挿入可能な切欠を形成して成ることを特徴とする請求項１又は２記載の加熱調理器。
【請求項４】
電池ケースの前面に化粧パネルを着脱自在に設けて成ることを特徴とする請求項１乃至３のいずれか一項に記載の加熱調理器。
【発明の詳細な説明】
【技術分野】
【０００１】
本発明は、電池ケースを備えた加熱調理器に関するものである。
【背景技術】
【０００２】
近年、加熱調理器にあっては、従来のように手動で加熱量の調節を行いながら調理を行うのではなく、自動で調理を行うものが普及している。
【０００３】
加熱調理器は、筐体内に、こんろバーナを有する加熱部と、こんろバーナでの加熱の開始／加熱量の調節／加熱の停止を制御する制御部と、こんろバーナの加熱の開始／加熱の停止の指令を制御部に与えるための加熱／停止手動操作部と、自動で加熱量の調節／加熱の停止を制御して調理を行わせるための自動調理設定操作部と、を備え、揚げもの、湯わかし、炊飯等の自動調理や、タイマー機能を用いた調理が可能となっている。
【０００４】
上述した制御部はマイクロコンピュータからなり、電力を供給されて駆動するのであるが、その電源は商用電源かあるいは筐体内に収納される電池であり、以下、電池の場合について説明する。
【０００５】
電池は、加熱調理器の筐体内に出し入れ自在に収納される電池ケースに収納される。電池ケースは、上方に開口する略矩形箱状をしており、内部に電池が収納される。
【０００６】
上記のような電池ケースを備えた加熱調理器として、例えば特許文献１に記載されているものがある。この加熱調理器は、特許文献１の図１に示されるように、筐体の前面部の向かって右側に偏った位置に電池ケースを収納するケース収納口を形成し、上方に開口する略矩形箱状をして内部に電池が収納される電池ケースをケース収納口に出し入れ自在に収納している。電池ケースの左右の側壁の上下長さは、内部に収納される電池の直径の約半分となっている。
【先行技術文献】
【特許文献】
【０００７】
【特許文献１】特開２００８−０１６１８５号公報
【発明の概要】
【発明が解決しようとする課題】
【０００８】
ところで、加熱調理器の筐体の前面部には、銘板（法定銘板）を貼り付ける必要があるが、加熱調理器の筐体の前面部に銘板を貼り付けるスペースがない場合には、加熱調理器の筐体の前面部ではなく、電池ケースの左右の側壁の一方に銘板を貼り付けることとなる。これにより、筐体の前面部に銘板を貼り付けるスペースを設ける必要がなくなる。
【０００９】
しかしながら、特許文献１に記載されている電池ケースにあっては、電池ケースの左右の側壁の上下長さが内部に収納される電池の直径の約半分しかないため、銘板を貼り付けるスペースがなく銘板を貼り付けることができなかった。
【００１０】
本発明は上記従来の問題点に鑑みて発明したものであって、その目的とするところは、筐体内に出し入れ自在に収納する電池ケースの左右の側壁に銘板を貼り付けることができる加熱調理器を提供することを課題とするものである。
【課題を解決するための手段】
【００１１】
上記課題を解決するために、請求項１に係る発明は、筐体１０内に、上方に開口する略矩形箱状をして内部に電池が収納される電池ケース１３を出し入れ自在に収納してなる加熱調理器（ガスこんろ１）であって、筐体１０の前面部１２の左右中央部よりも右側又は左側に偏った位置に電池ケース１３を収納するケース収納口１２ａを形成し、電池ケース１３の左右の側壁のうち、筐体１０の前面部１２においてケース収納口１２ａが偏っている側と反対側の側壁８０ｄの上下長さｈ１を内部に収納される電池の直径と略等しくすると共に該側壁８０ｄの外面に銘板貼付部９６を設け、筐体１０の前面部１２においてケース収納口１２ａが偏っている側の側壁８０ｅの上下長さｈ２を内部に収納される電池の直径よりも短くして成ることを特徴とする。
【００１２】
請求項２に係る発明は、請求項１に係る発明において、筐体１０の前面部１２においてケース収納口１２ａが偏っている側の側壁８０ｅの上下長さｈ２を内部に収納される電池の直径の略半分にして成ることを特徴とする。
【００１３】
請求項３に係る発明は、請求項１又は２に係る発明において、電池ケース１３の左右の側壁８０ｄ、８０ｅの一方又は両方の前後方向の一部の上端縁に、指が挿入可能な切欠９７を形成して成ることを特徴とする。
【００１４】
請求項４に係る発明は、請求項１乃至３のいずれか一項に係る発明において、電池ケース１３の前面に化粧パネル９８を着脱自在に設けて成ることを特徴とする。
【発明の効果】
【００１５】
請求項１に係る発明においては、電池ケースに収納される電池の直径と同程度の上下長さを有する銘板を電池ケースの側壁に貼り付けることが可能となり、しかも、加熱調理器を壁に向かって右奥隅と左奥隅のいずれに設置した場合でも使用者が銘板を見ることができる。また、銘板貼付部を設けていない一方の側壁側から指を挿入して電池を押し上げて取り出すことが可能となり、電池の出し入れがし易いものである。
【００１６】
また、請求項２に係る発明においては、電池の出し入れがし易い上に、電池が、ケース収納口が偏っている側の側壁を乗り越えて転げ落ちることもない。
【００１７】
また、請求項３に係る発明においては、切欠から指を挿入して電池を取り出し易くなる。
【００１８】
また、請求項４に係る発明においては、電池ケースを複数種類の加熱調理器に適用する際に、加熱調理器の機種に応じて適宜化粧パネルを着脱して用いることができる。
【図面の簡単な説明】
【００１９】
【図１】本発明の一実施形態の加熱調理器の全体斜視図である。
【図２】こんろ用の調理設定部の正面図である。
【図３】こんろバーナおよびグリルバーナへのガス供給の説明図である。
【図４】ガス弁ブロックの断面図である。
【図５】ガス弁ブロックの断面図であり、（ａ）はスライダが前位置にある場合、（ｂ）はスライダが後位置にある場合、（ｃ）はスライダが最後位置にある場合を示す。
【図６】こんろバーナの断面図である。
【図７】制御回路の構成図である。
【図８】同上の加熱調理器から電池ケース（化粧パネルなし）を引出した状態の全体斜視図である。
【図９】同上の電池ケース（化粧パネルなし）を示し、（ａ）は平面図であり、（ｂ）は側面図である。
【図１０】同上の（化粧パネルなし）電池ケースを示し、（ａ）は正面図であり、（ｂ）は前斜め下方より見た斜視図である。
【図１１】同上の化粧パネルを装着した電池ケースの前斜め下方より見た斜視図である。
【図１２】同上の加熱調理器から化粧パネルを装着した電池ケースを引出した状態の全体斜視図である。
【発明を実施するための形態】
【００２０】
以下、本発明の一実施形態の加熱調理器として、こんろ部とグリルを備えたビルトイン型のガスこんろ１について、添付図面に基づいて説明する。
【００２１】
図１に示すように、ガスこんろ１の天面部を構成するトッププレート１１には複数の加熱部２が設けてある。本実施形態では図１に示すように、向かって左側および右側に加熱部として高火力のこんろバーナ３１を備えたこんろ部２ａが設けてある。トッププレート１１の上面には各こんろバーナ３１を中心にして五徳２１が設けてあり、前記こんろバーナ３１と五徳２１と、点火装置２３及び点火検知装置２４（図３参照）とで、加熱部２としてのこんろ部２ａが構成される。
【００２２】
なお、点火装置２３は、入力回路（高圧トランスの１次側巻き線を含む）が一つに対して出力回路（高圧トランスの２次側巻き線）が各バーナの数だけ備えられ、一つの前記入力回路への通電により各々の前記出力回路（高圧トランスの２次側巻き線）に高電圧が発生し、各バーナの全てに点火用放電のための高電圧が供給される。
【００２３】
各こんろ部２ａには、図６に示すように、五徳２１上に載置される調理容器を検知する容器検知手段２５と、調理容器の下面の温度を検知する温度センサ２６とが設けてある。容器検知手段２５は、ガスこんろ１に固定される支持部２５ａと、支持部２５ａに上下方向に移動自在に支持される可動部２５ｂと、可動部２５ｂの上下位置を検知する検知スイッチ２５ｃと、で構成される。可動部２５ｂはばね等の付勢手段（図示せず）により上方に付勢され、その上端部は五徳２１よりも上方に突出する。この状態で五徳２１上に調理容器が載置されると、可動部２５ｂの上端部が調理容器の下面に押し下げられ、可動部２５ｂの下動に伴い検知スイッチ２５ｃにより下動が検知され、後述する制御部４に認識される。そして、可動部２５ｂの上端部に温度センサ２６が設けられ、調理容器が五徳２１上に載置された時に調理容器の下面に当接して温度を検知し、温度は制御部４に認識される。
【００２４】
またガスこんろ１には、図１に示すように、加熱部２としてのグリル２ｂが設けてある。グリル２ｂは、ガスこんろ１の本体内の中央部に形成されるグリル庫と、グリル庫内に設けられる加熱手段としてのグリルバーナ（図示せず）と、点火装置２３及び点火検知装置２４とで構成され、グリル庫２ｂの前端はガスこんろ１の前面部１２に開口していてグリル扉２８によって開閉自在に閉塞される。前面部１２、側面部、背面部、底面部、天面部となるトッププレート１１でガスこんろ１の筐体１０が構成される。また、ガスこんろ１の筐体１０の前面部１２の右下には、電池ケース１３が出し入れ自在に収納されるケース収納口１２ａが設けてあり（図８参照）、ケース収納口１２ａの内部が電池ケース１３の収納空間となる。電池ケース１３は、後述する制御部４や安全弁６２やラッチ電磁弁ＬＢ１、ＬＢ２の電源となる電池が収容されるもので、これについては後述する。
【００２５】
点火装置２３は、イグナイタ（図示せず）で発生させる高圧パルスにより、こんろバーナ３１及びグリルバーナの燃料ガスの吐出口に設けられる点火プラグに放電を起こさせて点火するもので、イグナイタは制御部４により制御される。
【００２６】
点火検知装置２４は、こんろバーナ３１及びグリルバーナに設けられる熱電対からなるもので、点火されると火炎の熱により発生する熱起電力が制御部４に認識される。
【００２７】
グリル扉２８の両側には、図１に示すように、グリル扉２８とともにガスこんろ１の前面部１２を構成する前面パネルＰ１、Ｐ２が設けてあり、左側の前面パネルＰ１の上側には、左側のこんろバーナ３１を点火／消火するための点消火ボタン１４ａが設けてあり、右側の前面パネルＰ２の上側の左側より、グリルバーナを点火／消火するための点消火ボタン１４ｂ、右側のこんろバーナ３１を点火／消火するための点消火ボタン１４ｃとが設けてある。これら点消火ボタン１４（１４ａ〜１４ｃ）が、加熱部２での加熱の開始／加熱の停止を手動で行うための加熱／停止手動操作部となっている。また前面部１２には、各加熱部２の加熱量を手動で調節するための加熱量手動操作部となる火力調節レバー１５（１５ａ〜１５ｃ）がそれぞれ各点消火ボタン１４ａ〜１４ｃの上に設けてある。
【００２８】
ガス弁ブロック６は、図３、図４に示すように、器具栓本体６０に、内部のガス流路６１と、ガス流路６１の上流端となる導入口６１ａ及び下流端となる導出口６１ｂとが設けてある。内部のガス流路６１には、上流側より安全弁６２用の弁孔、メイン弁６３用の弁孔が設けてある。メイン弁６３用の弁孔の下流側は、大火用の流路６１ｃと小火用の流路６１ｄとが並列に設けてあり、大火用の流路６１ｃに大火力／小火力切替用のラッチ電磁弁ＬＢ１用の弁孔が設けてあり、小火用の流路６１ｄにラッチ電磁弁ＬＢ２用の弁孔が設けてある。
【００２９】
ラッチ電磁弁ＬＢ１の弁孔の下流側と、ラッチ電磁弁ＬＢ２の下流側に位置する小火用オリフィスｏｆ２の下流側で大火用の流路６１ｃと小火用の流路６１ｄとが合流し、さらにその下流側には、火力調節レバー１５と連動する流量制御弁６５用の弁孔が設けてある。
【００３０】
上述した容器検知手段２５により調理容器が検知されていない時に点消火ボタン１４を操作した場合に、制御部４によりラッチ電磁弁ＬＢ１及びラッチ電磁弁ＬＢ２が閉止されて、加熱を開始しないようにする容器検知制御が行われる。
【００３１】
また、ガス流路６１には、前記ラッチ電磁弁ＬＢ１及びラッチ電磁弁ＬＢ２を設けた部分をバイパスするバイパス流路ＢＰが設けてあり、このバイパス流路ＢＰにバイパス用オリフィスｏｆ１が設けてある。バイパス用オリフィスｏｆ１は、ガス弁ブロック６を複数器種で共用するために設けられるもので、ガス弁ブロック６を他の機種への応用において使用する時には開口される場合があるが、本実施例においては、バイパス用オリフィスｏｆ１は閉塞体（図示せず）により閉塞されている。
【００３２】
火力調節レバー１５を中火から大火の間の位置に設定しておいたときに、ラッチ電磁弁ＬＢ１とラッチ電磁弁ＬＢ２の開・閉の組み合わせに応じて、こんろバーナ３１の火力は下表の様に制御部により調整制御される。
【００３３】
【表１】
2011047594.tif 000003
【００３４】
なお、ラッチ電磁弁ＬＢ１、ＬＢ２は、開弁用の極性のパルス電流の通電により開放状態に移行し、その後は通電を停止した後にも開放状態を維持し、閉弁用の極性（開弁用とは逆極性）のパルス電流の通電により閉止状態に移行し、その後は通電を停止した後にも閉止状態を維持する。このとき電流のパルス幅は２００〜３００ｍ秒に設定されており、こんろの火力を種々の状態に維持する場合にも省電力であるから、機器の電源として乾電池が用いられる場合に特に好適に用いられる。
【００３５】
流量制御弁６５用の弁孔の下流側は、こんろバーナ３１にガスを供給するための導出口６１ｂに至る。
【００３６】
器具栓本体６０には、スライダ６６が前後方向に移動自在に取り付けてあり、スライダ６６は前端面が点消火ボタン１４に組み込まれたチャイルドロック用スライド部（図示せず）により後方に押圧されることで後退するようになっている。
【００３７】
チャイルドロック用スライド部が内部に組み込まれた点消火ボタン１４は、前後動自在に設けられるもので、前記点消火ボタン１４の指で押される部分よりも上側の部分がこんろ本体側に枢支されて指で押される部分が前後動し、スライダ６６の前端面を後方に押圧する。スライダ６６には、例えば既存のハート型カム等からなる前位置と後位置の切替機構（図示せず）が設けてあり、前記点消火ボタン１４を押し操作する毎に、スライダ６６が後位置から前進して前位置（図５（ａ）参照）に位置したり、前位置から後退して後位置（図５（ｂ）参照）に位置して、前位置と後位置とが切り替わって保持される。
【００３８】
また、スライダ６６の進退に伴って進退するバルブロッド６７が設けてある。バルブロッド６７の先端側はガス流路６１内に挿入され、その先端部は後方すなわち下流側より上流側に向けて、メイン弁６３用の弁孔と安全弁６２用の弁孔とに挿通されている。バルブロッド６７は、スライダ６６が前位置から後位置に切り替わる際、一旦後位置よりも後方の最後位置（図５（ｃ）参照）に後退してから後位置にまで前進するが、この最後位置に移動した時に、安全弁６２用の弁孔を上流側より閉止している安全弁６２の弁体を上流側に移動させて、安全弁６２用の弁孔を開放する。安全弁６２は電磁弁からなり、弁体が前方すなわち下流側に前進することで安全弁６２用の弁孔を後方より閉止し、弁体が後方すなわち上流側に後退することで安全弁６２用の弁孔を開放する。
【００３９】
安全弁６２は、点火検知装置２４により火炎が検知されている場合にのみ制御部４により開放状態が維持され、火炎が検知されなくなると制御部４による開放状態の維持が停止して閉止される。これにより、煮こぼれや風により立ち消えが起こって点火検知装置２４の火炎が検知されなくなった場合に、燃料ガスの流出が防止される。また、温度センサ２６により検知された調理容器の下面の温度が所定の温度（例えば２５０℃）に達すると、空焚きや焦げ付き等の異常が発生していると判定して、安全弁６２を閉止する。このように、安全弁６２、点火検知装置２４、温度センサ２６により異常検知手段が構成されている。
【００４０】
バルブロッド６７の途中には、メイン弁６３用の弁孔を開閉するメイン弁体が設けてある。そして、スライダ６６が前位置に位置している時にはメイン弁体がメイン弁６３用の弁孔を後方より閉止し、スライダ６６が後位置に位置している時にはメイン弁体がメイン弁６３用の弁孔より後方に位置してメイン弁６３用の弁孔を開放する。
【００４１】
流量制御弁６５用の弁孔は、火力調整用のニードル６５ａの前後方向の移動により開度が自在に調節される。ニードル６５ａは、火力調節レバー１５を操作することで、開度の調節がなされ、火力調節レバー１５が右に行く程、燃料ガスの供給量が多くなるように調節される。
【００４２】
点消火ボタン１４又はスライダ６６の位置によりＯＮ／ＯＦＦが切り替わる器具栓スイッチが設けてある。器具栓スイッチは、点消火ボタン１４（又はスライダ６６）が前位置に位置している時にはＯＦＦとなり、後位置（最後位置も含む）に位置している時にＯＮとなる。
【００４３】
こんろバーナ３１、グリルバーナの点火を行うには、点消火ボタン１４を押し操作して、スライダ６６を前位置から後位置に後退させる。スライダ６６とともに後退したバルブロッド６７により、安全弁６２が開放されると共にメイン弁６３が開放され、燃料ガスがこんろバーナ３１、グリルバーナに供給される。また、スライダ６６が後退することにより器具栓スイッチがＯＮとなり、制御部４への給電がＯＮとなって制御部４が動作を開始する。
【００４４】
図７に示すように、制御部４は、正極側の給電端子４１がトランジスタＴＲ１を介して電源の正極に接続され、負極側の給電端子４２が電源の負極に接続される。トランジスタＴＲ１はＰＮＰ型のトランジスタであって、そのエミッタが電源の正極に接続され、コレクタが制御部４の正極側の給電端子４１に接続され、ベースが、抵抗Ｒ２及び該抵抗Ｒ２とそれぞれ直列に接続される二つのトランジスタＴＲ２、ＴＲ３を介して電源の負極に接続され、エミッタとベースとの間に抵抗Ｒ１が接続される。
【００４５】
二つのトランジスタＴＲ２、ＴＲ３はＮＰＮ型のトランジスタであって、そのコレクタが抵抗Ｒ２を介してトランジスタＴＲ１のベースに接続され、エミッタが電源の負極に接続される。そして、トランジスタＴＲ２、ＴＲ３のベースはそれぞれ抵抗Ｒ３、Ｒ４を介して電源の負極に接続される。
【００４６】
更に、電源の正極とトランジスタＴＲ２のベースとの間に抵抗Ｒ５を介して、スイッチＳ（Ｓ１〜Ｓ５）とダイオードＤ（Ｄ１〜Ｄ５）とが直列に接続された線が複数並列に接続されるもので、電源の正極、各スイッチＳ、各ダイオードＤ、抵抗Ｒ５、トランジスタＴＲ２のベースの順に配設される。またトランジスタＴＲ３のベースは、抵抗Ｒ６を介して制御部４の電源保持信号出力端子Ｔ１に接続される。
【００４７】
そして、各線のスイッチＳとダイオードＤとの間の部分と、制御部４の各信号入力端子とが各抵抗Ｒ７を介して接続される。スイッチＳ１〜Ｓ３は器具栓スイッチで、Ｓ１は左こんろバーナ３１を備えたこんろ部２ａの器具栓スイッチＳ１であり、Ｓ２は右こんろバーナ３１を備えたこんろ部２ａの器具栓スイッチＳ２であり、Ｓ３はグリル２ｂの器具栓スイッチＳ３である。スイッチＳ４、Ｓ５は、タクトスイッチからなる容器検知解除スイッチＳ４、Ｓ５で、使用者が前面パネルＰ１に設けてあるこんろ用の調理設定部７の容器検知解除操作部１６（１６ａ、１６ｃ）を押し操作している間だけＯＮとなり、押し操作をやめるとＯＦＦとなる。これについては後述する。
【００４８】
いずれかの器具栓スイッチＳ１〜Ｓ３がＯＮになると、トランジスタＴＲ２にベース電流が流れてエミッタ−コレクタ間がＯＮとなり、トランジスタＴＲ１にベース電流が流れてエミッタ−コレクタ間がＯＮとなり、電源から制御部４に給電される。制御部４に給電されると、制御部４の電源保持信号出力端子Ｔ１から電源保持信号（Ｈｉｇｈ出力）が出力され、トランジスタＴＲ３にベース電流が流れてエミッタ−コレクタ間がＯＮとなり、トランジスタＴＲ１にベース電流が流れてエミッタ−コレクタ間がＯＮになる。電源保持信号が出力されている限り、制御部４への給電が継続される。このように、器具栓スイッチＳ１〜Ｓ３が、制御部４への給電をＯＮにする電源スイッチを兼ねている。
【００４９】
いずれかの器具栓スイッチＳ１〜Ｓ３がＯＮになると、制御部４が動作を開始し、器具栓スイッチＳ１〜Ｓ３、抵抗Ｒ７を介して制御部４の該当する信号入力端子に信号が入力され、いずれかの器具栓スイッチＳ１〜Ｓ３がＯＮになったかが検知される。制御部４は、器具栓スイッチＳ１〜Ｓ３がＯＮとなると全てのこんろバーナ３１、グリルバーナの点火装置２３を作動させて連続放電を起こし、安全弁６２のコイルに通電することにより安全弁６２の開放が所定時間（例えば５秒）確保される。点火検知装置２４により点火が検知されると安全弁６２の開放が維持される。
【００５０】
点火検知装置２４により点火が検知されない場合には安全弁６２のコイルへの通電を停止することにより安全弁６２が閉止され、点消火ボタン１４を押し込んでバルブロッド６７により安全弁６２の弁体を後退させない限り安全弁６２が開放されない。なお、こんろ部２ａの場合には上述した容器検知制御により、調理容器が検知されていない時には、器具栓スイッチＳ１〜Ｓ３がＯＮとなっても点火装置２３は作動せず、安全弁６２のコイルには通電しない。
【００５１】
また更に、容器検知解除スイッチＳ４、Ｓ５がＯＮになる場合でも、器具栓スイッチＳ１〜Ｓ３がＯＮになる場合と同様に、電源から制御部４への給電が開始されると共に、電源保持信号により制御部４への給電が継続される。図１に示す左側の前面パネルＰ１に設けたこんろ用の調理設定部７（図２参照）の容器検知解除操作部１６ａを所定時間（例えば３秒）以上継続して押し操作すると、容器検知解除スイッチＳ４がＯＮとなると共にその上の表示部１７ａが点灯し、左側の前面パネルＰ１に設けたこんろ用の調理設定部７の容器検知解除操作部１６ｃを所定時間（例えば３秒）以上継続して押し操作すると、容器検知解除スイッチＳ５がＯＮとなると共にその上の表示部１７ｃが点灯する。
【００５２】
容器検知解除スイッチＳ４は、左側こんろバーナ３１を備えたこんろ部２ａでの容器検知制御を解除するスイッチであり、容器検知解除スイッチＳ５は、右側の高火力のこんろバーナ３１を備えたこんろ部２ａでの容器検知制御を解除するスイッチである。容器検知解除スイッチのＯＮが所定時間（例えば３秒）継続し制御部４に認識された時に、容器検知制御が解除されて解除モードに移行する。解除モードでは、容器検知制御がなされないため、こんろ部２ａの場合に調理容器が検知されていなくても、器具栓スイッチＳ１、Ｓ２がＯＮとなると点火装置２３が作動し、安全弁６２のコイルに通電される。更に本実施形態の解除モードでは、上述したように温度センサ２６により検知された調理容器の温度が所定の温度（例えば２５０℃）となった場合に安全弁６２を閉止する際の、前記所定の温度をそれよりも高い温度（例えば２９０℃）とし、所定の温度（例えば２５０℃）を超えた温度での調理が可能となる。解除モードは、１時間継続されて終了する。
【００５３】
加熱が開始されると、火力調節レバー１５を操作することで、所望の火力が得られる。なお、左側のこんろバーナ３１を備えたこんろ部２ａの火力調節レバー１５は、該こんろ部２ａの操作部を操作して点火を行う時、操作部の操作と連動して火力が中火力側に移動するようになっていて、点火時には中程度の火力となっている。
【００５４】
全ての点消火ボタン１４のスライダ６６を前位置にすると、メイン弁６３が閉止して消火し、器具栓スイッチＳ１〜Ｓ３がＯＦＦになり、安全弁６２が閉止すると共に電源保持信号の出力が停止して制御部４への給電が終了する。
【００５５】
次に、自動調理について説明する。ガスこんろ１の左側の前面パネルの下側には、図２に示すように、こんろ用の調理設定部７が設けてある。なお、ガスこんろ１の右側の前面パネルの右下の左側には、グリル用の調理設定部が設けてあるが細部については詳述しない。
【００５６】
こんろ用の調理設定部７は、揚げもの、湯わかし、炊飯の自動調理のメニュー（オートメニュー）を設定するための一組のオートメニュー設定部７１及びオートメニュー表示部７２と、調理時間を設定するためのタイマ入力部７３及びタイマ表示７４とを備えている。オートメニュー設定部７１として、揚げものスイッチ７１ａと、湯わかしスイッチ７１ｂと、炊飯スイッチ７１ｃと、が設けてある。揚げものモードは、こんろバーナ３１の点火後、使用者により設定された温度に達するようにこんろバーナ３１の火力を自動調節する自動調理モードであり、揚げものスイッチ７１ａは、何回押すかで２００℃、１８０℃、１６０℃といった複数種類の揚げものの調理の中から目的とする温度の揚げもの調理が設定できると共に、揚げもの表示部７２ａに前記設定が表示されるようになっている。
【００５７】
また、湯わかしモードや炊飯モードは、こんろバーナ３１の点火後、予め設定された燃焼条件で燃焼させ、湯わかしや炊飯の完了が予測される時点で自動的にこんろバーナ３１を消火する自動調理モードである。湯わかしスイッチ７１ｂは、何回押すかで自動消火、５分保温といった、湯わかし後にすぐ消火するか、あるいは一定時間保温するかといった湯わかしを選択して設定できると共に、湯わかし表示部７２ｂに前記設定が表示されるようになっている。また、炊飯スイッチ７１ｃは、何回押すかでごはん、おかゆといった複数種類の炊飯の調理の中から目的とする炊飯の調理が設定できると共に、炊飯表示部７２ｃに前記設定が表示されるようになっている。
【００５８】
電池ケース１３は、図９、図１０に示すように、後側の側壁８０ａ、前側の側壁８０ｂ、向かって（後方を向いた時に）左側の側壁８０ｄ、向かって右側の側壁８０ｅ、底壁８０ｃとからなる、前後方向を長手方向とする上方に開口する略矩形箱状をして、内部に電池が収納される合成樹脂製のケース本体８０で主体が構成される。なお、本実施形態では前側の側壁８０ｂの前側に更に前壁８０ｆが設けてあり、前側のみ二重壁構造となっている。そして、ケース本体８０の側壁の一部には、内部に収納される電池の＋極に接触する＋極側の接触端子８１が設けてある。ケース本体８０の側壁の前記＋極側の接触端子８１と対向する位置には、内部に収納される電池の−極に接触する−極側の接触端子８２が設けてある。
【００５９】
また、電池ケース１３が筐体１０内に収納された時に筐体１０内の＋極側の給電端子（図示せず）と−極側の給電端子（図示せず）とにそれぞれ接続される＋極側の接続端子８３と−極側の接続端子８４とが設けてあるとともに、＋極側の接触端子８１と＋極側の接続端子８３とを連結する＋極側の中継導体８５と、−極側の接触端子８２と−極側の接続端子８４とを連結する−極側の中継導体８６と、が設けてある。
【００６０】
＋極側の接触端子８１と＋極側の接続端子８３とこれらを連結する＋極側の中継導体８５とからなる＋極側の通電部材は、薄い導体板を打ち抜いて曲げ加工して一体に形成してある。また、−極側の接触端子８２と−極側の接続端子８４とこれらを連結する−極側の中継導体８６とからなる−極側の通電部材も同様に、薄い導体板を打ち抜いて曲げ加工して一体に形成してある。
【００６１】
本実施形態では、後側の側壁８０ａに、−極側の接触端子８２と−極側の接続端子８４と−極側の中継導体８６と、＋極側の接続端子８３とが設けてあり、前側の側壁８０ｂの内面側に、＋極側の接触端子８１が設けてある。
【００６２】
本発明では、図８に示すように筐体１０の前面部１２の左右中央部よりも右側又は左側に偏った位置（本実施形態では右側）にケース収納口１２ａを形成し、このケース収納口１２ａに収納される電池ケース１３は、図９に示すように、ケース収納口１２ａが偏っている側と反対側の側壁（本実施形態では左側の側壁８０ｄ）の上下長さｈ１を内部に収納される電池の直径と略等しくすると共に該側壁８０ｄの外面に銘板貼付部９６を設け、筐体１０の前面部１２においてケース収納口１２ａが偏っている側の側壁（本実施形態では右側の８０ｅ）の上下長さｈ２を内部に収納される電池の直径よりも短くすることを特徴としている。
【００６３】
銘板貼付部９６は、側壁８０ｄの外面に設けられる、銘板以外に何も設けられない部分で、平坦な表面としてある。銘板は、図示はしないが電池ケース１３に収納される電池の直径と同程度の上下長さを有するもので、銘板貼付部９６は銘板と同じ大きさかそれ以上の大きさに形成される。
【００６４】
ガスこんろ１のような加熱調理器は、隅部に設置されることが多く、例えば図８に示す本実施形態のガスこんろ１が壁に向かって右奥隅に設置されている場合、電池ケース１３を引き出すと、電池ケース１３の右側の側壁８０ｅの外面（右面）と右側の壁との間の距離が短くてこの間に使用者が入り込むことはないため、電池ケース１３を取り外さない限り使用者が右側の側壁８０ｅの外面を見ることはない。この時、引き出した電池ケース１３の右側の側壁８０ｅの外面に銘板が貼り付けてあっても使用者が銘板を見ることはなく、左側の側壁８０ｄの外面（左面）に銘板が貼り付けてあると、使用者は銘板を見ることができる。
【００６５】
また、図８に示す本実施形態のガスこんろ１が壁に向かって左奥隅に設置されている場合、左側の側壁８０ｄの外面に銘板が貼り付けてあると、引き出した電池ケース１３の左側の側壁８０ｄの外面と左側の壁との間の距離は、使用者が入れる位に離れていて使用者はこの間に入って作業を行うため、使用者は銘板を見ることができる。
【００６６】
仮に、筐体１０の前面部１２の左右中央部よりも左側に偏った位置にケース収納口１２ａを形成した場合には、ケース収納口１２ａが偏っている側と反対側となる右側の側壁８０ｅの上下長さｈ１を電池の直径と略等しくしてこの外面に銘板貼付部９６を設ければよい。
【００６７】
そして、銘板は一枚貼り付ければよく両側の側壁８０ｄ、８０ｅに貼り付ける必要はないため、もう一方の側壁８０ｅには銘板貼付部９６を設けず、その上下長さｈ２を短くしている。すなわち、両側の側壁８０ｄ、８０ｅの上下長さが電池の直径と略等しいと、電池の出し入れがし難いが、少なくとも一方の側壁８０ｅの上下長さｈ２を電池の直径よりも短くしておくと、この側壁８０ｅ側から指を挿入して電池の側面の下部を押し上げて電池を取り出すことが可能となり、出し入れがし易い。本実施形態では、側壁８０ｅの上下長さｈ２を内部に収納される電池の直径の略半分にしているため、出し入れがし易い上に、電池が側壁８０ｅを乗り越えて転げ落ちて脱落することもない。
【００６８】
また、電池ケース１３の左右の側壁８０ｄ、８０ｅの一方又は両方の前後方向の一部の上端縁に、指が挿入可能な切欠９７を形成してもよいもので、本実施形態では、図９に示すように上下長さｈ２を電池の直径よりも短くした側壁８０ｅの前端部に切欠９７が形成してある。これにより、切欠９７から指を挿入して電池を取り出し易くなるもので、特に上下長さｈ２を電池の直径よりも短くした側壁８０ｅに設けることで、より一層電池を取り出し易くなる。また、電池の直径と略同じ上下長さｈ１とした側壁８０ｄに切欠９７を設けても勿論よく、切欠９７の切り込み深さを深くすれば電池が取り出し易くなる。
【００６９】
また本実施形態では、前壁８０ｆの前面に化粧パネル９８を着脱自在に設けることができる。化粧パネル９８は、その背面の上端部と下端部とに図示しない爪状の上係止部と下係止部とを備える合成樹脂製のもので、一方、図９、図１０に示すように前壁８０ｆの下端面に係止突起８０ｇを突設してあり、化粧パネル９８の上係止部を前壁８０ｆの上端部に係止させると共に下係止部を係止突起８０ｇに係止させることで、図１２に示すように化粧パネル９８を電池ケース１３に装着することができる。化粧パネル９８を電池ケース１３から離脱させるには、上係止部や下係止部を撓ませて係止を解除すればよい。
【００７０】
これにより、本実施形態の電池ケース１３を複数種類の加熱調理器に適用する際に、加熱調理器の機種に応じて、適宜化粧パネル９８を装着したりして用いることができる。
【符号の説明】
【００７１】
１０  筐体
１３  電池ケース
８０  ケース本体
８０ａ  後側の側壁
８０ｂ  前側の側壁
８０ｃ  底壁
８０ｄ  左側の側壁
８０ｅ  右側の側壁
８０ｆ  前壁
８０ｇ  係止突起
８１  ＋極側の接触端子
８２  −極側の接触端子
８３  ＋極側の接続端子
８４  −極側の接続端
８５  ＋極側の中継導体
８６  −極側の中継導体
８７  挿通口
８８  切欠
８９  押さえ片
９０  当接片
９１  保持片
９２  切欠
９３  係止部
９４  被係止部
９５  カバー
９６  銘板貼付部
９７  切欠
９８  化粧パネル
【図１】
2011047594.tif 000004
【図２】
2011047594.tif 000005
【図３】
2011047594.tif 000006
【図４】
2011047594.tif 000007
【図５】
2011047594.tif 000008
【図６】
2011047594.tif 000009
【図７】
2011047594.tif 000010
【図８】
2011047594.tif 000011
【図９】
2011047594.tif 000012
【図１０】
2011047594.tif 000013
【図１１】
2011047594.tif 000014
【図１２】
2011047594.tif 000015